(57)【要約】【課題】手摺りバーに中空状の部材を使用して、この手摺りバーに支持部材を簡単かつ強固に取り付けることができるようにする。【解決手段】手摺りは、筒状の手摺りバー２の両端部にねじ部材３を介して一対の支持部材４が支持され、該各支持部材４が固定手段１３を介して取付面Ａに取り付けられ、該各支持部材４にねじ部材３および固定手段１３を目隠しする外カバー部材１５が取り付けられており、前記手摺りバー２の内面の周方向少なくとも２箇所には前記ねじ部材３が螺合される螺合部６が手摺りバー２の全長にわたる長さで形成されている。【選択図】図１
2006090081.tif 000002
【特許請求の範囲】
【請求項１】
筒状の手摺りバー（２）の両端部にねじ部材（３）を介して一対の支持部材（４）が支持され、該各支持部材（４）が固定手段（１３）を介して取付面（Ａ）に取り付けられ、該各支持部材（４）にねじ部材（３）および固定手段（１３）を目隠しする外カバー部材（１５）が取り付けられており、前記手摺りバー（２）の内面の周方向少なくとも２箇所には前記ねじ部材（３）が螺合される螺合部（６）が手摺りバー（２）の全長にわたる長さで形成されていることを特徴とする手摺り。
【請求項２】
前記支持部材（４）と外カバー部材（１５）の間には、外カバー部材（１５）を支持部材（４）に取り付けたときに外カバー部材（１５）の位置決めをする位置決め手段（３３）が設けられていることを特徴とする請求項１に記載の手摺り。
【請求項３】
前記支持部材（４）は、板材を折曲してその一辺が手摺りバー（２）を支持する支持部（９）とされ、他辺が前記支持部材（４）を取付面（Ａ）に固定する固定部（１０）とされており、前記外カバー部材（１５）には、支持部（９）に嵌合する第１嵌合部（２４）と、固定部（１０）に嵌合する第２嵌合部（２５）が形成されていることを特徴とする請求項１または２に記載の手摺り。
【請求項４】
前記手摺りバー（２）を支持した支持部（９）の手摺りバー（２）側の露出面にはこれを目隠しする内カバー部材（１６）が配置され、この内カバー部材（１６）は外カバー部材（１５）の第１嵌合部（２４）に係止されていることを特徴とする請求項３に記載の手摺り。
【発明の詳細な説明】
【技術分野】
【０００１】
本発明は、壁面等の取付面に取り付けられる手摺りに関するものである。
【背景技術】
【０００２】
従来、壁面に取り付けられて使用される手摺りとして、例えば、屈曲した菅体（支持部材）の１つの端部に設けた手摺り取付座に中実状の手摺りバーの端面を当接してビス等の固着具で固着すると共に前記菅体の他の端部に向けた壁取付座を壁面に当接してビス等の固着具で固着し、この菅体に手摺り取付座及び壁取付座を露出させる開口を設けると共に前記菅体の外観と連続する外観のカバーを開口に着脱自在に被着して開口を閉塞するものがある（特許文献１参照）。
【特許文献１】特開２００１−３２４９１号公報
【発明の開示】
【発明が解決しようとする課題】
【０００３】
従来の手摺りでは、手摺りバーに中実材を使用しているため、材料コストが高くなっており、また手摺りバーが重くなるので、大型のものを製作することも困難であった。
手摺りバーを軽量化するには中空状のものを用いるとよいが、従来の手摺りでは、手摺りバーの端面にビスをねじ込んでおり、中空状のものには端面がないので取り付けることができなかった。
本発明は、上記の事情に鑑みてなされたものであり、手摺りバーに中空状の部材を使用して、この手摺りバーに支持部材を簡単かつ強固に取り付けることができる手摺りを提供することを目的とする。
【課題を解決するための手段】
【０００４】
本発明は上記目的を達成するために以下の技術的手段を講じた。
すなわち、第１に、筒状の手摺りバー２の両端部にねじ部材３を介して一対の支持部材４が支持され、該各支持部材４が固定手段１３を介して取付面Ａに取り付けられ、該各支持部材４にねじ部材３および固定手段１３を目隠しする外カバー部材１５が取り付けられており、前記手摺りバー２の内面の周方向少なくとも２箇所には前記ねじ部材３が螺合される螺合部６が手摺りバー２の全長にわたる長さで形成されていることを特徴とする。
螺合部６を手摺りバー２の全長にわたる長さに形成することによって、手摺りバー２の端部には必ず螺合部６が表れるので、中空状の手摺りバー２に支持部材４を取り付けることが可能である。しかも、手摺りバー２を切断して長さを変更してもその切り口には螺合部６が表れ、この螺合部６に支持部材４をねじ部材３を介して連結することができる。さらに、ねじ部材３や固定手段１３を外カバー部材１５で覆うことができる。
【０００５】
第２に、前記支持部材４と外カバー部材１５の間には、外カバー部材１５を支持部材４に取り付けたときに外カバー部材１５の位置決めをする位置決め手段３３が設けられている。
これによって、外カバー部材１５が支持部材４から抜けはずれることを防止できる。
第３に、前記支持部材４は、板材を折曲してその一辺が手摺りバー２を支持する支持部９とされ、他辺が前記支持部材４を取付面Ａに固定する固定部１０とされており、前記外カバー部材１５には、支持部９に嵌合する第１嵌合部２４と、固定部１０に嵌合する第２嵌合部２５が形成されている。
【０００６】
これによれば、外カバー部材１５によって支持部材４の支持部９および固定部１０を確実に覆うことができる。
第４に、前記手摺りバー２を支持した支持部９の手摺りバー２側の露出面にはこれを目隠しする内カバー部材１６が配置され、この内カバー部材１６は外カバー部材１５の第１嵌合部２４に係止されている。
これによれば、外カバー部材１５と内カバー部材１６によって支持部材４のほぼ全体を覆うことができる。
【発明の効果】
【０００７】
本発明によれば、手摺りバーに中空状の部材を使用して、この手摺りバーに支持部材を簡単かつ強固に取り付けることができる。
【発明を実施するための最良の形態】
【０００８】
以下、本発明の実施の形態を図面を参照しながら説明する。
図１乃至図４は、本発明の第１実施形態を示している。
本発明にかかる手摺り１は、例えば、壁面等に取り付けられてロフト用の梯子の上部の係止に使用したり、あるいは単独で壁面に取り付けられて使用されるものである。
図１において、手摺り１は、筒状の手摺りバー２と、ねじ部材３を介して手摺りバー２の両端部を支持する一対の支持部材４と、支持部材４を覆う外カバー部材１５と、外カバー部材４の反対側で支持部材４の露出面を覆う内カバー部材１６とを有している。
【０００９】
手摺りバー２は合成樹脂またはアルミ合金等の金属で円筒状に形成されており、その内面に前記ねじ部材３が螺合する螺合部６が形成されている。この螺合部６は、図４に示すようにＣ字状とされており、その中央部が手摺りバー２の内面に押出成形によって連続状に一体成形されている。
前記螺合部６は、手摺りバー２の内面の周方向少なくとも２箇所に設けられており、図例では、手摺りバー２の筒心（中心）に対して対称位置に設けられている。
また、螺合部６は、手摺りバー２の筒心方向に沿ってこの手摺りバー２の全長に亘る長さに形成されている。したがって、螺合部６は、手摺りバー２の端部に表れており、しかも、手摺りバー２を長尺に形成したものをどの位置で切断したときでもその切り口（端部）に表れるようになっている。
【００１０】
Ｃ字状の螺合部６は、円弧状の対の翼部６ａを有し、各翼部６ａは互いに対向状に設けられている。この翼部６ａは基部から先端に向かって先細り状に形成されており、翼部６ａ間には、円形の溝６ｂが形成されている。対向する翼部６ａの先端部同士は離間されており、前記溝６ｂは手摺りバー２の筒心を向いて開口されている。
前記支持部材４は、金属製の板材を折曲してＬ字状としたものであり、その一辺が手摺りバー２を支持する支持部９とされ、他辺が壁面等の取付面Ａにこの支持部材４を固定する固定部１０とされている。
【００１１】
前記支持部９は、固定部１０側の基部９ａから先端部９ｂに向かって先細り状に突出されており、その先端部９ｂが円形状に形成されている。支持部９の中途部には複数（図例では２つ）の孔１１が板厚方向に貫通して形成されている。
支持部９の側部には凹部１２が形成されている。この凹部１２は、支持部９の各側部に形成されて対となっている。
前記支持部９はタッピングねじ等のねじ部材３を介して手摺りバー２を支持している。この支持部９において、固定部１０が形成された側とは反対側の面が手摺りバー２の端部が当接される当接面９ｃとなっており、ねじ部材３は支持部９の孔１１に挿通されて前記当接面９ｃに当接した手摺りバー２の螺合部６（溝６ｂ）にねじ込まれている。螺合部６の溝６ｂの径は、ねじ部材３の軸径よりもやや小さくされており、溝部６ｂにねじ部材３がねじ込まれることによって、手摺りバー２と支持部材４とが強固に連結されることになる。
【００１２】
前記固定部１０は、支持部９に対して約９０°の角度で屈曲して形成されている。この固定部１０には、複数（図例では３つ）の孔１４が板厚方向（上下方向）に貫通して形成されている。固定部１０は、取付面Ａに当接され、前記孔１４を通じてねじ部材等の固定手段（例えばねじ部材）１３によって取付面Ａに固定されている。
外カバー部材１５は、合成樹脂製で、支持部材４に取り付けた時に、ねじ部材３および前記固定手段１３を目隠しするようになっている。この外カバー部材１５は、手摺りバー２に対してその正面側が開口状とされ、その背面側に支持部９とほぼ相似な背壁部１７が設けられている。この背壁部１７の周縁には手摺りバー２に向かって突出する側壁部１８が形成されている。
【００１３】
背壁部１７は、その基部１７ａ側から先端部１７ｂに向かって先細り状（または、先端部１７ｂ側から基部１７ａに向かって末広がり状）に形成されており、その先端部１７ｂが円形状に形成されている。したがって、前記側壁部１８も前記背壁部１７の先端部１７ｂ側から基部１７ｂ側に向かって末広がり状となっている。
この背壁部１７において、支持部材４と対向する側の面（内面）には、複数（図例では２つ）の補強リブ１９が支持部９側に向かって突出して形成されている。補強リブ１９は、支持部９に当接する第１辺部２０と、固定部１０に当接する第２辺部２１を有している。第１辺部２０は支持部材４の支持部９に当接する当接面を有し、第２辺部２１は、固定部１０に当接する当接面を有している。
【００１４】
図１、図２において、背壁部１７の基部１７ａには、凹部２２が形成されており、この凹部２２にドライバー等の尖端状の工具を差し込むことができるようになっている。
外カバー部材１５には、支持部材４の支持部９に嵌合する第１嵌合部２４と、固定部１０に嵌合する第２嵌合部２５が形成されている。
第１嵌合部２４は、外カバー部材１５の側壁部１８に形成された溝部２６を有し、この溝部２６は、側壁部１８の全周にわたって連続状に形成されている。この溝部２６は、側壁部１８の周方向に沿ってその内面から突出形成された対の突起部２７，２８の間に形成されている。前記側壁部１８は上述のように末広がりとなっているので、第１嵌合部２４の溝部１６は、図２に示すように、取付面Ａに向かってその間隔が末広がり状になっている。
【００１５】
対の突起部の一方（２７）は、側壁部１８の突端側に形成されており（以下、この突起部を第１突起部２７という）、他方の突起部（以下、第２突起部２８という）は、第１突起部２７から離間されて背壁部１７寄りに設けられ、この第１突起部２７と平行に形成されている。
第１突起部２７の突端部には、この第１突起部２７よりもやや小さな突条部３０が形成されており、この突条部３０が内カバー部材１６を係止する係止部（以下、突条部と係止部に共通符号３０を用いる）となっている。
【００１６】
前記溝部２６の第２突起部２８側の側壁面は、前記補強リブ１９の第１辺部２０の当接面と面一に形成されている。これによって、外カバー部材１５を支持部材４に取り付けるときに、補強リブ１９の第１辺部２０の当接面を支持部９に当接させてスライドさせるだけで、第１嵌合部２４を支持部９に簡単に案内できるようになっている。しかも、第１嵌合部２４の溝部２６が上述のように取付面Ａに向かって末広がり状となっており、そして前記支持部９が先細り状に構成されていることから、支持部９の中途部からでも第１嵌合部２４に嵌合できるようになっている。
【００１７】
前記溝部２６の底面には、支持部材４の凹部１２に嵌合する突起３１が形成されている。前記突起３１は対となっていて互いに対向するように設けられており、外カバー部材１５の支持部材４への取付けの際、第１嵌合部２４が支持部９に嵌合したときに前記突起３１が凹部１２に嵌合して外カバー部材１５の位置決めがなされる。
前記突起３１は、円形状に形成されており、突起３１が凹部１２に嵌合するときに抵抗が極力かからない形状になっている。突起３１は凹部１２よりもやや大きくされており、突起３１は、凹部１２に嵌合したときにこの凹部１２の縁部に当接し、これによって支持部材４に取り付けられた外カバー部材１５がガタつかないようになっている。
【００１８】
このように、前記突起３１と凹部１２は、外カバー部材１５と支持部材４の間に設けられていて、外カバー部材１５を支持部材４に取り付けたときに外カバー部材１５の位置決めをする位置決め手段３３を構成している。
前記第２嵌合部２５は、外カバー部材１５の基部の内側に設けられている。すなわち、外カバー部材１５の補強リブ１９の第２辺部２１と外カバー部材１５の基端１５ａとの間に固定部１０を収納する空間が形成されており、この空間が固定部１０の嵌合部（第２嵌合部２５）となっている。
【００１９】
外カバー部材１５を支持部材４に取り付けると、支持部９が第１嵌合部２４に嵌り、第２嵌合部２５が固定部１０に嵌り、これによって外カバー部材１５は、支持部９のねじ部材３、固定部１０の固定手段１３のみならず、支持部９、固定部１０のほぼ全体を覆うことができ、手摺り１は支持部材４が露出せずに非常に見栄えのよいものになる。
前記内カバー部材１６は、支持部材４の支持部９の当接面１３において、手摺りバー２が当接している部分以外の露出面を目隠しするためのものである。
内カバー部材１６は、合成樹脂製で板状に形成されており、円弧状の第１辺部３５と、この第１辺部３５の反対側に設けられていて直線状に形成された第２辺部３６と、第２辺部３６から第１辺部３５に向かって内カバー部材１６が先細り状となるようにテーパ状に傾斜した第３辺部３７、第４辺部３８が形成されている。
【００２０】
前記第１辺部３５は、内カバー部材１６が支持部材４に取り付けられたときに、外カバー部材１５の先端部とともに手摺りバー２の端部の周縁を覆うようになっている。
第２辺部３６は、手摺り１を取付面Ａに取り付けたときに、この取付面Ａに当接するようになっている。
第３辺部３７、第４辺部３８には、外カバー部材１５の前記係止部３０に係合する係合突起部３９が形成されている。この係合突起部３９は、第３辺部３７、第４辺部３８の全長にわたって連続状に形成されている。
【００２１】
手摺り１を取付面Ａに取り付けるには、まず、予め所定長さに切断された手摺りバー２の螺合部６に支持部９をねじ部材３を介して連結することによって、手摺りバー２の両端部に支持部材４を取り付ける。その後に固定部１０を固定手段１３によって取付面Ａに固定する。
次に、内カバー部材１６を斜めに傾斜させた状態（図１の２点鎖線で示す状態）で取付面Ａと手摺りバー２の間に入れ、それから支持部９の手摺りバー２側の面に当接（図１の実線で示す状態）させて保持しておく。
【００２２】
そして、外カバー部材１５を支持部材４に取り付ける。このとき、外カバー部材１５の補強リブ１９の第１辺部２０の当接面を支持部９の固定部１０側の面に当接させ、そのまま外カバー部材１５をスライドさせて、支持部９に第１嵌合部２４を嵌合させる。これとほぼ同時に、支持部９の当接面９ｃ（露出面）に当接された内カバー部材１６が外カバー部材１５と係合する。この係合は、内カバー部材１６の係合突起部３９が、外カバー部材１５の係止部３０と支持部材４の支持部９との間に入り込むことによりなされる。
これによって、内カバー部材１６は、外カバー部材１５の第１嵌合部２４（係止部３０）に係止され、支持部９の当接面９ｃ側の露出面を目隠しする位置に位置決めされることになる。したがって、内カバー部材１６が外カバー部材１５から離れることなく、この内カバー部材１６と外カバー部材１５とで支持部材４のほぼ全体が覆われることになる。
【００２３】
そして、固定部１０に第２嵌合部２５を嵌合させる。第２嵌合部２５が固定部１０に嵌合する際に位置決め手段３３の突起３１が凹部１２に嵌合し、外カバー部材１５が支持部９に固定（位置決め）され、以上によって手摺り１の取付面Ａへの取り付けが完了する。
手摺りバー２を交換するには、外カバー部材１５を引っ張って取り外し、支持部９と手摺りバー２とを連結しているねじ部材３を取り外す。外カバー部材１５の取り外しの際には、外カバー部材１５の背壁部１７に形成された凹部２２にドライバー等の工具を差し込んで取り外してもよい。
【００２４】
支持部材４に外カバー部材１５が取付けられると、補強リブ１９の第１辺部２０の当接面は支持部９に当接し、第２辺部３６の当接面は固定部１０に当接した状態になる。このように、外カバー部材１５を支持部材４に取り付けた状態では、補強リブ１９が支持部材４に当接して外部からの衝撃・荷重等によって外カバー部材１５が変形しないようになっている。
図５の第２実施形態では、補強リブ１９の形状が第１実施形態の場合と異なる。
すなわち、図５に示すように、補強リブ１９の第１辺部２０の近傍には、支持部９と手摺りバー２を連結しているねじ部材３の抜け止めをする抜け止め部４０が支持部材４の支持部９と対向するように形成されている。この抜け止め部４０はねじ部材３の頭部に近接しており、ねじ部材３が外れる方向に回転してもこのねじ部材３の頭部が抜け止め部４０に当接して後退できない（抜けはずれない）ようになっている。その他の点は、第１実施形態と同様の構成であり、同様の作用効果を奏する。
【００２５】
なお、本発明は上記の実施の形態に限らず、以下のような変更が可能である。
例えば、位置決め手段３３は、支持部９の凹部１２と外カバー部材１５の突起３１で構成していたが、支持部９に突起、外カバー部材１５に凹部を設けて構成してもよい。また、手摺りバー２は円筒状のものに限らず、多角筒等その他の種々の形状のものを使用できる。螺合部６は、手摺りバー２内面の３箇所以上の複数箇所に形成してもよい。固定手段１３はねじ部材に限らず、アンカーボルト等その他の種々の手段を用いてもよい。
【図面の簡単な説明】
【００２６】
【図１】本発明の第１実施形態を示す平面断面図である。
【図２】手摺りの側面図である。
【図３】手摺りの正面断面図である。
【図４】手摺りの斜視図である。
【図５】本発明の第２実施形態を示す手摺りの正面断面図である。
【符号の説明】
【００２７】
１    手摺り
２    手摺りバー
３    ねじ部材
４    支持部材
５    カバー部材
６    螺合部
９    支持部
１０    固定部
１３    固定手段
１５    外カバー部材
１６    内カバー部材
２４    第１嵌合部
２５    第２嵌合部
３０    係止部
３３    位置決め手段
Ａ    取付面
【図１】
2006090081.tif 000003
【図２】
2006090081.tif 000004
【図３】
2006090081.tif 000005
【図４】
2006090081.tif 000006
【図５】
2006090081.tif 000007